Podtech/llm-jp-corpus-v4-ja_patent huggingface dataset:
【手続補正書】
【提出日】平成25年7月9日(2013.7.9)
【手続補正１】
【補正対象書類名】特許請求の範囲
【補正対象項目名】全文
【補正方法】変更
【補正の内容】
【特許請求の範囲】
【請求項１】
（Ａ）リボフラビンと、  
（Ｂ）補酵素Ｑ、Ｌ−プロリン、グリシン、リジン塩酸塩、Ｌ−ロイシン、Ｌ−アルギニン、ビタミンＥからなる群から選択される少なくとも１種類の化合物と、
を含有し、
ＵＶ−Ａ線から眼球の内部構造の保護用、又は経上皮架橋術式による円錐角膜の治療用である
ことを特徴とする点眼薬。
【請求項２】
（Ａ）リボフラビンと、
（Ｂ）ビタミンＥと、
（Ｃ）補酵素Ｑ、Ｌ−プロリン、グリシン、リジン塩酸塩、Ｌ−ロイシン及びＬ−アルギニンからなる群から選択される少なくとも１種類の化合物と
を含有する、
ことを特徴とする請求項１記載の点眼薬。
【請求項３】
０．０００１％〜０．５％の範囲内から選択される濃度のリボフラビン−デキストラン溶液と、
以下の化合物の群から選択される少なくとも１種類の化合物と
０．０００１ｍｇ％ｍｌ〜２０００ｍｇ％ｍｌの範囲内から選択される濃度のビタミンＥ、
０．０００１ｍｇ％ｍｌ〜２０００ｍｇ％ｍｌの範囲内から選択される濃度の補酵素Ｑ、
０．０００１ｍｇ％ｍｌ〜２０００ｍｇ％ｍｌの範囲内から選択される濃度のＬ−プロリン、
０．０００１ｍｇ％ｍｌ〜２０００ｍｇ％ｍｌの範囲内から選択される濃度のグリシン、
０．０００１ｍｇ％ｍｌ〜２０００ｍｇ％ｍｌの範囲内から選択される濃度のリジン塩酸塩、
０．０００１ｍｇ％ｍｌ〜２０００ｍｇ％ｍｌの範囲内から選択される濃度のＬ−ロイシン、
０．００００１％〜０．５％の範囲内から選択される濃度のＬ−アルギニン、
を有する
ことを特徴とする請求項１又は２記載の点眼薬。
【請求項４】
０．１％の濃度のリボフラビン−デキストラン溶液と、
以下の化合物の群から選択される少なくとも１種類の化合物と
５００ｍｇ％ｍｌの濃度のビタミンＥ、
１００ｍｇ％ｍｌの濃度の補酵素Ｑ、
０．１ｍｇ％ｍｌの濃度のＬ−プロリン、
０．１ｍｇ％ｍｌの濃度のグリシン、
０．１ｍｇ％ｍｌの濃度のリジン塩酸塩、
０．１ｍｇ％ｍｌの濃度のＬ−ロイシン、
０．１％の濃度のＬ−アルギニン、
を有する
ことを特徴とする請求項１〜３の何れかに記載の点眼薬。
【請求項５】
リボフラビン−デキストラン０．１％と、ビタミンE  ＴＰＧＳ(D-α-トコフェニル ポリエチレングリコール 1000 スクシネート)５００ｍｇ％ｍｌと、補酵素Ｑ１００ｍｇ％ｍｌと、Ｌ−プロリン０．１ｍｇ％ｍｌと、グリシン０．１ｍｇ％ｍｌと、リジン塩酸塩０．０５ｍｇ％ｍｌと、Ｌ−ロイシン０．０８ｍｇ％ｍｌとを含有する
ことを特徴とする請求項１〜４の何れかに記載の点眼薬。
【請求項６】
点眼液又は点眼ゲルの剤形若しくは医療用コンタクトレンズに塗布するのに適合した剤形である、
ことを特徴とする請求項１〜５の何れかに記載の点眼薬。
【請求項７】
補酵素Ｑ、Ｌ−プロリン、グリシン、リジン塩酸塩、Ｌ−ロイシン、Ｌ−アルギニン、ビタミンＥからなる群から選択される化合物を含有し、ＵＶ−Ａ線から眼球の内部構造を保護するために、又は経上皮架橋術式により円錐角膜を治療するために企図された、リボフラビンの含有点眼液の調製用としての用途。
【請求項８】
リボフラビンを含有する点眼液により、ＵＶ−Ａ線から眼球の内部構造を保護するために、又は経上皮架橋術式により円錐角膜を治療するために、企図された、補酵素Ｑ、Ｌ−プロリン、グリシン、リジン塩酸塩、Ｌ−ロイシン、Ｌ−アルギニン、ビタミンＥからなる群から選択された化合物。
【手続補正書】
【提出日】平成25年7月4日(2013.7.4)
【手続補正１】
【補正対象書類名】特許請求の範囲
【補正対象項目名】全文
【補正方法】変更
【補正の内容】
【特許請求の範囲】
【請求項１】
ａ）  ポリイソシアネート、
ｂ）  水性ケイ酸塩、
ｃ）  メタカオリン、フライアッシュ、およびそれらの混合物から選択される水和性のアルミノケイ酸塩
ｄ）  ポリオール、および随意に
ｅ）  不活性充填剤
を含む成分を反応させることによって得られる、ケイ質ベースのポリウレア組成物。
【請求項２】
反応成分が、
２０〜６５質量％のポリイソシアネート、
５〜５５質量％の水性ケイ酸塩、
２〜２０質量％の水和性のアルミノケイ酸塩、
４０質量％までのポリオール、
０〜４０質量％の不活性充填剤
を含む、請求項１に記載の組成物。
【請求項３】
ポリイソシアネートが、脂肪族のイソシアネート、芳香族のイソシアネート、または脂肪族／芳香族混合のイソシアネートであって、≧２の−ＮＣＯ官能価を有する、請求項１または２に記載の組成物。
【請求項４】
水性ケイ酸塩が、アルカリケイ酸塩またはアンモニウムケイ酸塩、好ましくはアンモニウム、リチウム、ナトリウムまたはカリウム水ガラスであって、そのＳｉＯ2：Ｍ2Ｏ（前記Ｍは一価のカチオンを表す）のモル比によって定義される率４．０〜０．２、好ましくは４．０〜１．０を有し、且つ、固体含有率１０〜７０質量％、好ましくは３０〜５５質量％を有する、請求項１から３までのいずれか１項に記載の組成物。
【請求項５】
ポリオールが、≧２の−ＯＨ官能価を有する多官能価のアルコールである、請求項１から４までのいずれか１項に記載の組成物。
【請求項６】
少なくとも一部のポリイソシアネートおよびポリオールが、まず反応して≧２の−ＮＣＯ官能価を有するポリイソシアネートプレポリマーを形成する、請求項１から５までのいずれか１項に記載の組成物。
【請求項７】
ハロゲン化および/またはリン含有添加剤が、反応成分に含まれていない、請求項１から６までのいずれか１項に記載の組成物。
【請求項８】
泡安定剤、触媒および/または発泡剤が、反応成分に含まれていない、請求項１から７までのいずれか１項に記載の組成物。
【請求項９】
請求項１から８までのいずれか１項において定義された組成物の製造方法であって、水和性のアルミノケイ酸塩と水性ケイ酸塩とを混合する段階、および、この混合物を随意にポリオールの存在中および／または不活性充填剤を包含して、ポリイソシアネートおよび／またはポリイソシアネートプレポリマーと反応させる段階を含む、前記製造方法。
【請求項１０】
さらに、ポリイソシアネートおよび/またはポリイソシアネートプレポリマーと水との反応において形成されるガスの制御された圧力解放を含む、請求項９に記載の方法。
【請求項１１】
航空、自動車組み立て部品、建築、消費者製品、防火、家具部品、遮断、造船および／または風車建築の分野における、請求項１から８までのいずれか１項において定義された組成物の使用。
【手続補正書】
【提出日】平成25年7月29日(2013.7.29)
【手続補正１】
【補正対象書類名】特許請求の範囲
【補正対象項目名】全文
【補正方法】変更
【補正の内容】
【特許請求の範囲】
【請求項１】
式（Ｉ）の化合物、およびその薬学的に許容可能な塩：
【化１】
2013500314.tif 000001
（式中、
Ｒ１およびＲ２は、−Ｈ、−Ｃ１−５アルキル、−Ｃ２−５アルケニル、−（ＣＨ２）０−３−シクロアルキル、−（ＣＨ２）１−３−複素環、−（ＣＨ２）０−３−アリール、−（ＣＨ２）０−３−ヘテロアリール、−（ＣＨ２）１−２−ＣＨ（アリール）２、−（ＣＨ２）１−２−ＣＨ（アリール）（ヘテロアリール）および−（ＣＨ２）１−２−ＣＨ（ヘテロアリール）２から独立して選択され、
Ｒ３は、−Ｈ、−Ｃ１−５アルキル、−Ｃ２−５アルケニル、−（ＣＨ２）０−３−シクロアルキル、−（ＣＨ２）１−３−複素環、−（ＣＨ２）１−３−アリール、−（ＣＨ２）１−３−ヘテロアリール、−（ＣＨ２）１−３−ＣＯＮＲ５Ｒ６、−（ＣＨ２）１−２−ＣＨ（アリール）２、−（ＣＨ２）１−２−ＣＨ（アリール）（ヘテロアリール）および−（ＣＨ２）１−２−ＣＨ（ヘテロアリール）２から選択され、
Ｒ４は、−Ｈ、−Ｃ１−５アルキル、−（ＣＨＲ７）１−３−ＣＯ−ＮＲ５Ｒ６、−（ＣＨＲ７）１−３−ＣＯ−ＯＲ５、−（ＣＨ２）１−３−ＮＲ５Ｒ６、−（ＣＨ２）１−３−ＣＯ［ＮＣＨＲ７ＣＯ］ｍＮＨ２および−（ＣＨ２）１−３−ＣＯ［ＮＣＨＲ７ＣＯ］ｍＯＲ５から選択され、
ｎは、１および２から選択される整数であり、
ｍは、１、２および３から選択される整数であり、
Ｒ５およびＲ６は、−Ｈ、−Ｃ１−５アルキルおよび−（ＣＨ２）０−３−アリールから独立して選択され、
Ｒ７は、−Ｈ、−Ｃ１−５アルキル、−（ＣＨ２）１−３−アリールおよび−（ＣＨ２）１−３−ヘテロアリールから選択され、ｍが１よりも大きい場合、Ｒ７置換基は、互いに同じであってもまたは異なっていてもよく、
ここで、Ｃ１−５アルキル、Ｃ２−５アルケニル、シクロアルキルおよび複素環基は、所望によりハロゲン、ＯＨ、ＯＲ５、ＯＣＦ３、ＳＨ、ＳＲ５、ＮＨ２、ＮＲ５Ｒ６、ＮＨＣＯＲ５；ＣＯＯＨ、ＣＯＯＲ５、ＯＣＯＲ５、アリールおよびヘテロアリールから独立して選択される一つまたは数個の置換基で置換されてもよく、
アリールおよびヘテロアリール基は、所望によりハロゲン、ＣＦ３、ＯＨ、ＯＲ５、ＯＣＦ３、ＳＨ、ＳＲ５、ＮＨ２、ＮＨＣＯＲ５；ＮＯ２、ＣＮ、ＣＯＲ５、ＣＯＯＲ５、ＯＣＯＲ５、ＣＯＮＲ５Ｒ６、−（ＣＨ２）０−３ＮＲ５Ｒ６、ＳＯ２ＮＨ２、ＮＨＳＯ２ＣＨ３、Ｃ１−５アルキル、アリールおよびヘテロアリールから独立して選択される一つまたは数個の置換基で置換されてもよく、
複素環およびヘテロアリール基は、所望により第二級窒素原子にてＣ１−５アルキル、シクロアルキルまたは−（ＣＨ２）０−３−アリールで置換されてもよく、
但し、Ｒ２が２−（４−フルオロフェニル）エチルであり、Ｒ４が−ＣＨ２−ＣＯ−ＮＨ２であり、かつｎが１であるとき：
−Ｒ１が２−（４−フルオロフェニル）エチルの場合、Ｒ３は２−（４−メトキシフェニル）エチル、２−（２−ピリジル）エチルまたは２−（２，４−ジクロロフェニル）エチルではなく、
−Ｒ１が２−（２，４−ジクロロフェニル）エチルの場合、Ｒ３は２−（４−メトキシフェニル）エチルまたは２−（２−ピリジル）エチルではない）。
【請求項２】
Ｒ１が−Ｃ１−５アルキルまたは−（ＣＨ２）０−３−アリールである、請求項１に記載の化合物。
【請求項３】
Ｒ２が−Ｃ１−５アルキル、−（ＣＨ２）０−３−アリール、−（ＣＨ２）０−３−ヘテロアリールまたは−（ＣＨ２）１−２−ＣＨ（アリール）２である、請求項１に記載の化合物。
【請求項４】
Ｒ３が−Ｈ、−Ｃ１−５アルキル、−（ＣＨ２）１−３−複素環、−（ＣＨ２）１−３−アリールまたは−（ＣＨ２）１−３−ヘテロアリールである、請求項１に記載の化合物。
【請求項５】
Ｒ４が−Ｈ、−（ＣＨＲ７）１−３−ＣＯ−ＮＲ５Ｒ６、−（ＣＨＲ７）１−３−ＣＯ−ＯＲ５または−（ＣＨ２）１−３−ＣＯ［ＮＣＨＲ７ＣＯ］ｍＮＨ２である、請求項１に記載の化合物。
【請求項６】
ｎが１である、請求項１に記載の化合物。
【請求項７】
ｍが１である、請求項１に記載の化合物。
【請求項８】
Ｒ５が−Ｈまたは−Ｃ１−５アルキルである、請求項１に記載の化合物。
【請求項９】
Ｒ６が−Ｈである、請求項１に記載の化合物。
【請求項１０】
Ｒ７が−Ｈ、−Ｃ１−５アルキル、−（ＣＨ２）１−３−アリールまたは−（ＣＨ２）１−３−ヘテロアリールである、請求項１に記載の化合物。
【請求項１１】
医薬としての使用のための、請求項１〜１０のいずれか一項に記載の化合物またはその薬学的に許容可能な塩を含んでなる、医薬組成物。
【請求項１２】
アポトーシスの増加に関連した病理学的および／または生理学的状態の予防および／または治療に使用される、請求項１〜１０のいずれか一項に記載の化合物またはその薬学的に許容可能な塩を含んでなる、医薬組成物。
【請求項１３】
器官または細胞の保存、特に移植または保全；細胞毒性、特に化学薬品により、または放射線、音響性外傷、やけどのような物理的因子により、または肝炎ウイルス感染のような生物学的因子により仲介される細胞毒性の予防；心臓発作または脳梗塞のような低酸素状態による病状；眼科手術に起因する傷害、加齢黄斑変性、糖尿病性網膜症、網膜色素変性症または緑内障のような眼科病状；アルツハイマー病、ハンチントン病、パーキンソン病または筋萎縮性多発性硬化のような神経変性疾患；糖尿病、特にランゲルハンス島の保存または例えば腎毒性のような糖尿病関連の細胞毒性；変形性関節症；関節炎；炎症またはＡＩＤＳ関連のＣＤ４＋Ｔリンパ球枯渇のような免疫不全から選択されるアポトーシスの増加に関連した病理学的および／または生理学的状態の予防および／または治療に使用される、請求項１２に記載の医薬組成物。
【手続補正書】
【提出日】平成25年7月9日(2013.7.9)
【手続補正１】
【補正対象書類名】特許請求の範囲
【補正対象項目名】全文
【補正方法】変更
【補正の内容】
【特許請求の範囲】
【請求項１】
少なくとも１種の銅イオンの供給源、及び少なくとも１種の添加剤を含む組成物であって、
前記少なくとも１種の添加剤は、
ａ）縮合により、式（Ｉ）
Ｘ（ＯＨ）ｍ                （Ｉ）
の少なくとも１種のポリアルコールから誘導される多価アルコール縮合化合物と、
ｂ）少なくとも１種のアルキレンオキシドと、
を反応させ、ポリオキシアルキレン側鎖を含む多価アルコール縮合物を形成することによって得ることができ、ここで、
ｍは、３〜６の整数であり、及びＸは、ｍ−価の直鎖状、又は枝分かれした、２〜１０個の炭素原子を有し、及び置換されていても良く、又は置換されていなくても良い脂肪族、又は脂環式の基であることを特徴とする組成物。
【請求項２】
ポリアルコール縮合物が、ポリアルコールの単独縮合物、又は２種以上のポリアルコールの共−縮合物であり、前記ポリアルコール縮合物が、２〜５０個のポリアルコール単位を含むことを特徴とする請求項１に記載の組成物。
【請求項３】
ポリアルコール縮合物が、グリセロール縮合物、及びペンタエリチリトール縮合物、及びこれらの混合物から選ばれることを特徴とする請求項１又は２の何れか１項に記載の組成物。
【請求項４】
ポリアルコール縮合物が、以下の式
【化１】
2013500394.tif 000001
（但し、
Ｙが、ｎ−価の直鎖状、又は枝分かれした、１〜１０個の炭素原子を有し、及び置換されていても良く、又は置換されていなくても良い脂肪族、又は脂環式の基であり、
ａが、２〜５０の整数であり、
ｂが、各ポリマーアームｎについて同一であっても良く、又は異なっていても良く、及び１〜３０の整数であり、
ｃが、２〜３の整数であり、
ｎが、１〜６の整数である）
の化合物から選ばれることを特徴とする請求項１〜３の何れか１項に記載の組成物。
【請求項５】
アルキレンオキシドが、エチレンオキシド、プロピレンキシド、及びブチレンオキシド、又はこれらの混合物から選ばれることを特徴とする請求項１〜４の何れか１項に記載の組成物。
【請求項６】
ポリアルキレン側鎖が、エチレンオキシドとプロピレンオキシド、及び／又はブチレンオキシドのコポリマーであることを特徴とする請求項１〜５の何れか１項に記載の組成物。
【請求項７】
エチレンオキシド及び更なるＣ３〜Ｃ４アルキレンオキシドのコポリマー中のエチレンオキシドの含有量が、１０〜５０質量％であることを特徴とする請求項６に記載の組成物。
【請求項８】
ポリオキシアルキレン側鎖が、少なくとも２個のアルキレンオキシドのランダムコポリマーであることを特徴とする請求項６又は７の何れかに記載の組成物。
【請求項９】
添加剤の分子量Ｍｗが、３０００〜１００００ｇ／ｍｏｌであることを特徴とする請求項１〜８の何れか１項に記載の組成物。
【請求項１０】
更に、１種以上の促進剤を含むことを特徴とする請求項１〜９の何れか１項に記載の組成物。
【請求項１１】
更に、１種以上の平滑剤を含むことを特徴とする請求項１〜１０の何れか１項に記載の組成物。
【請求項１２】
寸法が３０ナノメートル以下のアパーチャーを有する機構を含む基材の上に金属を堆積させるために、請求項１〜１１の何れか１項に記載の組成物を含む金属メッキ溶液を使用する方法。
【請求項１３】
ａ）請求項１〜１２の何れか１項に記載の組成物を含む金属メッキ溶液を基材と接触させる工程、
ｂ）基材上に金属層を堆積させるのに十分な時間、基材に電流密度を施す工程、
によって基材上に金属層を堆積させる方法。
【請求項１４】
基材が、マイクロメーター以下の寸法の機構を含み、及び堆積がマイクロメーター及び／又はマイクロメーター以下の寸法の機構を満たすように行われることを特徴とする請求項１３に記載の方法。
【請求項１５】
寸法がマイクロメーター以下の機構が、１〜３０ｎｍのアパーチャー寸法、及び／又は４以上のアスペクト比を有することを特徴とする請求項１４に記載の方法。
【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
金属表面の腐食保護処理のための方法であって、その方法において、少なくとも以下の工程：
ｉ）所望により行われる、前記金属表面を洗浄及び脱脂する工程；
ｉｉ）前記金属表面を、
ａ）Ｚｒ及び／又はＴｉの水溶性有機化合物、
ｂ）フッ素イオンを放出する水溶性無機フッ素化合物、
を含有する酸性の水性組成物（Ａ）と接触させることによって、前記金属表面を前処理として不動態化処理する工程；
ｉｉｉ）前記前処理した金属表面を水性組成物（Ｂ）と接触させることによって後処理する工程、
が順に実施され、
ここで、
工程ｉｉｉ）の前記水性組成物（Ｂ）は、少なくとも１つの芳香族ヘテロ環を有する少なくとも１つの有機化合物を含有し、前記芳香族ヘテロ環は、少なくとも１つの窒素原子を含むものである、
方法。
【請求項２】
工程ｉｉ）の前記水性組成物（Ａ）が、その電気化学的標準電位Ｅ００（Ｍｅ０／Ｍｅｎ＋）が鉄の電気化学的標準電位Ｅ００（Ｆｅ０／Ｆｅ２＋）よりも大きい金属カチオンを放出する水溶性無機金属化合物をさらに含有する、請求項１に記載の方法。
【請求項３】
工程ｉｉｉ）の前記水性組成物（Ｂ）中の前記有機化合物が有するそれぞれの前記芳香族ヘテロ環が、それぞれの前記芳香族ヘテロ環が有する前記窒素原子に対してα位及び／又はβ位にて置換されており、
前記α位及び／又はβ位における置換基は、−ＯＲ、−ＮＲＨ、−ＣＯＯＸ、−ＣＨ２ＯＲ、−ＣＨ２ＮＲＨ、−ＣＨ２ＣＯＯＸ、−Ｃ２Ｈ４ＯＲから選択され、
前記の残基Ｒは、各々の場合にて、水素、又は炭素原子数４個以下のアルキルもしくはアルキレン基から選択され、前記の残基Ｘは、各々の場合にて、水素、アルカリ金属、又は炭素原子数４個以下のアルキルもしくはアルキレン基から選択される、請求項１又は２に記載の方法。
【請求項４】
工程ｉｉｉ）の前記水性組成物（Ｂ）中の前記有機化合物が有するそれぞれの前記芳香族ヘテロ環が、トリアゾール、ベンゾトリアゾール、イミダゾール、キノリン、及び／又はインドールから選択される、請求項１から３のいずれか一項に記載の方法。
【請求項５】
工程ｉｉｉ）の前記水性組成物（Ｂ）中の、前記有機化合物の濃度が、前記水性組成物（Ｂ）中の前記芳香族ヘテロ環の質量比率として計算して、少なくとも１０ｐｐｍであるが、５０００ｐｐｍ以下である、請求項１から４のいずれか一項に記載の方法。
【請求項６】
工程ｉｉｉ）の前記水性組成物（Ｂ）が、キレート錯化剤をさらに含有し、亜鉛イオンと対応する錯体の錯化定数ｌｏｇＫＢが、１０よりも大きい、請求項１から５のいずれか一項に記載の方法。
【請求項７】
工程ｉｉｉ）の前記水性組成物（Ｂ）中の前記キレート錯化剤が、アミン基とカルボキシル基の両方を有する、請求項６に記載の方法。
【請求項８】
工程ｉｉｉ）の前記水性組成物（Ｂ）中の前記キレート錯化剤の割合が、少なくとも１０ｐｐｍであるが、１０００ｐｐｍ以下である、請求項６又は７に記載の方法。
【請求項９】
工程ｉｉ）及び／又はｉｉｉ）の前にリンス工程を行う、請求項１から８のいずれか一項に記載の方法。
【請求項１０】
工程ｉｉｉ）に続いて、リンス及び／又は乾燥工程の介在の有無にかかわらず、自己析出浸漬コーティング作業（self-depositing  dip  coating  operation）又は電着コーティング作業が行われる、請求項１から９のいずれか一項に記載の方法。
【請求項１１】
前記金属表面が、亜鉛から成る表面に加えて、鉄から成る表面又は鉄及びアルミニウムから成る表面も少なくとも含む複合体構造を表すものである、請求項１から１０のいずれか一項に記載の方法。
【請求項１２】
請求項１から１１のいずれか一項に記載の方法で前処理された金属基材。
【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
少なくとも一種の銅源と少なくとも一種の添加物とを含む組成物であって、
ａ）少なくとも５個のヒドロキシル官能基をもつ多価アルコールを、
ｂ）第一のアルキレンオキシドと第二のアルキレンオキシドの混合物からの少なくとも第一のアルキレンオキシド及び第二のアルキレンオキシドと反応させて得られる組成物。
【請求項２】
上記多価アルコールが式Ｉの化合物から選ばれる請求項１に記載の組成物：
Ｘ（ＯＨ）ｍ  （Ｉ）  
式中、
ｍは５〜１０の整数であり、
Ｘは、ｍ価の、５〜１０個の炭素原子をもつ直鎖若しくは分岐鎖の脂肪族であるか、又は脂環式の基であって、置換されていても非置換であってもよい。
【請求項３】
上記ポリアルコールが、式（ＩＩ）または（ＩＩＩ）で表される鎖状又は環状単糖アルコールである請求項１又は２に記載の組成物：
ＨＯＣＨ２−（ＣＨＯＨ）ｎ−ＣＨ２ＯＨ  （ＩＩ）  
（ＣＨＯＨ）ｏ  （ＩＩＩ）  
式中、
ｎは３〜８の整数であり、
ｏは５〜１０の整数である。
【請求項４】
上記単糖アルコールが、ソルビトール、マンニトール、キシリトール、リビトール、イノシトール、およびこれらの誘導体から選ばれる請求項３に記載の組成物。
【請求項５】
上記ポリアルコールが式（ＩＶ）若しくは（Ｖ）の単糖であるか、又はその誘導体である請求項１または２に記載の組成物：
ＣＨＯ−（ＣＨＯＨ）ｐ−ＣＨ２ＯＨ  （ＩＶ）  
ＣＨ２ＯＨ−（ＣＨＯＨ）ｑ−ＣＯ−（ＣＨＯＨ）ｒ−ＣＨ２ＯＨ  （Ｖ）  
式中、
ｐは４〜５の整数であり、
ｑとｒは整数であり、且つ
ｑ＋ｒは３または４である。
【請求項６】
上記単糖が、アロース、アルトロース、ガラクトース、グルコース、グロース、イドース、マンノース、タロース、グルコヘプトース、マンノヘプトースなどのアルドース、またはフルクトース、プシコース、ソルボース、タガトース、マンノヘプツロース、セドノヘプツロース、タロヘプチュロース、アロノヘプツロースなどのケトース、及びこれらの誘導体から選ばれる請求項５に記載組成物。
【請求項７】
上記添加物がエチレンオキシドとプロピレンオキシドのランダムコポリマーである請求項１〜６のいずれか一項に記載の組成物。
【請求項８】
添加物中の第一のオキシアルキレン単位の含量が２０〜５０重量％、好ましくは２５〜４０重量％である請求項１〜７のいずれか一項に記載の組成物。
【請求項９】
上記添加物の分子量Ｍｗが３０００−１００００ｇ／ｍｏｌ、好ましくは４０００〜８０００ｇ／ｍｏｌである請求項１〜８のいずれか一項に記載の組成物。
【請求項１０】
さらに一種以上の加速剤を含む請求項１〜９のいずれか一項に記載の組成物。
【請求項１１】
さらに一種以上のレベリング剤を含む請求項１〜１０のいずれか一項に記載の組成物。
【請求項１２】
請求項１〜１１のいずれか一項に記載の組成物を含む金属メッキ浴を、開口径が３０ナノメートル以下である構造物を含む支持体上に金属を付着させるために使用する方法。
【請求項１３】
ａ）請求項１〜１１のいずれか一項に記載の組成物を含む金属メッキ浴を支持体に接触させ、
ｂ）金属層を支持体に付着させるのに十分な時間、該支持体に電流密度を加えることにより
支持体上に金属の層を付着させる方法。
【請求項１４】
上記支持体がサブミクロンサイズの構造物を含み、
マイクロメートルまたはサブミクロンサイズの構造物に充填するために上記付着が行われる請求項１３に記載の方法。
【請求項１５】
上記サブミクロンサイズの構造物の開口径が１〜３０ｎｍで、及び／又はアスペクト比が４以上である請求項１４に記載の方法。
【手続補正書】
【提出日】平成25年7月16日(2013.7.16)
【手続補正１】
【補正対象書類名】明細書
【補正対象項目名】０１２６
【補正方法】変更
【補正の内容】
【０１２６】
種々の改質および追加が、本発明の範囲を離れることなく記載された例示的な態様になされることができる。例えば、上記の態様を特別な特徴と呼ぶ一方で、本発明の範囲はまた、上記のすべての特徴を含む特徴および態様の異なる組み合わせを有する態様を含む。
（態様１）
（ａ）約１、０００〜約５０、０００ｇ／ｍｏｌの分子量を有するポリアクリル酸またはそれらの塩と、
（ｂ）約１、０００〜約１００、０００ｇ／ｍｏｌの分子量を有するアクリルマレイン酸コポリマーまたはそれらの塩と、
（ｃ）ホスホノカルボン酸またはそれらの塩と、
を含む、水硬度制御剤。
（態様２）
ｐｐｍでのアクリルマレイン酸コポリマーまたはそれらの塩：ポリアクリル酸またはそれらの塩：ホスホノカルボン酸またはそれらの塩の比が、約１〜約３０：約１０〜約８０：約６〜約２０である、態様１に記載の水硬度制御剤。
（態様３）
ｐｐｍでのアクリルマレイン酸コポリマーまたはそれらの塩：ポリアクリル酸またはそれらの塩：ホスホノカルボン酸またはそれらの塩の比が、約５：約４０：約８である、態様２に記載の水硬度制御剤。
（態様４）
該水硬度制御剤が、約０．５ｗｔ％未満のリン含有化合物を含む、態様１に記載の水硬度制御剤。
（態様５）
該ポリアクリル酸またはそれらの塩が、約１、０００〜約３５、０００ｇ／ｍｏｌの分子量を有する、態様１に記載の水硬度制御剤。
（態様６）
該アクリルマレイン酸コポリマーまたはそれらの塩が、約１、０００〜約７５、０００ｇ／ｍｏｌの分子量を有する、態様１に記載の水硬度制御剤。
（態様７）
該ポリアクリル酸またはそれらの塩が、約４、５００ｇ／ｍｏｌの分子量を有し、そして該アクリルマレイン酸コポリマーまたはそれらの塩が、約４０、０００ｇ／ｍｏｌの分子量を有する、態様１に記載の水硬度制御剤。
（態様８）
該ホスホノカルボン酸またはそれらの塩が、２−ホスホノブタン１、２、４トリカルボン酸を含む、態様１に記載の水硬度制御剤。
（態様９）
（ａ）アルカリ源と、
（ｂ）界面活性剤成分と、
（ｃ）（ｉ）約１、０００〜約５０、０００ｇ／ｍｏｌの分子量を有するアクリレートポリマーと、
（ｉｉ）約１、０００〜約１００、０００ｇ／ｍｏｌの分子量を有するアクリレートマレインコポリマーと、
（ｉｉｉ）ホスホノカルボン酸またはそれらの塩と、
を含む水硬度制御剤と、
を含む、クリーニング組成物であって、
ここで、ｐｐｍでのアクリレートマレインコポリマー：アクリレートポリマー：ホスホノカルボン酸またはそれらの塩の比が、約１〜約３０：約１０〜約８０：約６〜約２０である、クリーニング組成物。
（態様１０）
該アルカリ源が、該組成物の約１０〜約８０ｗｔ％を構成する、態様９に記載のクリーニング組成物。
（態様１１）
該界面活性剤成分が、該組成物の約０．５〜約３ｗｔ％を構成する、態様９に記載のクリーニング組成物。
（態様１２）
該水硬度制御剤が、該組成物の約３．３〜約６０．８ｗｔ％を構成する、態様９に記載のクリーニング組成物。
（態様１３）
該アクリレートポリマーが、該組成物の約２．２〜約２２ｗｔ％を構成する、態様９に記載のクリーニング組成物。
（態様１４）
該アクリレートマレインコポリマーが、該組成物の約０．１〜約２０ｗｔ％を構成する、態様９に記載のクリーニング組成物。
（態様１５）
該ホスホノカルボン酸またはそれらの塩が、該組成物の約０．１〜約１０ｗｔ％を構成する、態様９に記載のクリーニング組成物。
（態様１６）
（ａ）約１、０００〜約５０、０００ｇ／ｍｏｌの分子量を有するアクリレートポリマーと、約１、０００〜約１００、０００ｇ／ｍｏｌの分子量を有するアクリレートマレインコポリマーと、およびホスホノカルボン酸またはそれらの塩とを混合して、水硬度制御剤を形成させる工程と、
（ｂ）少なくとも１種の機能性成分を該水硬度制御剤に加えて、クリーニング組成物を生成させる工程と、
（ｃ）硬表面上に該クリーニング組成物を適用する工程と、
を含む、表面のクリーニング方法。
（態様１７）
ｐｐｍでのアクリレートマレインコポリマー：アクリレートポリマー：ホスホノカルボン酸またはそれらの塩の比が、約１〜約３０：約１０〜約８０：約６〜約２０である、態様１６に記載の方法。
（態様１８）
ｐｐｍでのアクリレートマレインコポリマー：アクリレートポリマー：ホスホノカルボン酸またはそれらの塩の比が、約５：約４０：約８である、態様１６に記載の方法。
（態様１９）
さらに該クリーニング組成物を希釈して、使用溶液を生成させる、態様１６に記載の方法。
（態様２０）
該アクリレートマレインコポリマーおよび該アクリレートポリマーが、それぞれ、使用溶液中に約５〜約４０ｐｐｍ存在する、態様１９に記載の方法。
【手続補正２】
【補正対象書類名】特許請求の範囲
【補正対象項目名】全文
【補正方法】変更
【補正の内容】
【特許請求の範囲】
【請求項１】
（ａ）１、０００〜５０、０００ｇ／ｍｏｌの分子量を有するポリアクリル酸またはそれらの塩と、
（ｂ）１、０００〜１００、０００ｇ／ｍｏｌの分子量を有するアクリルマレイン酸コポリマーまたはそれらの塩と、
（ｃ）ホスホノカルボン酸またはそれらの塩と、
を含む、水硬度制御剤。
【請求項２】
ｐｐｍでのアクリルマレイン酸コポリマーまたはそれらの塩：ポリアクリル酸またはそれらの塩：ホスホノカルボン酸またはそれらの塩の比が、１〜３０：１０〜８０：６〜２０である、請求項１に記載の水硬度制御剤。
【請求項３】
ｐｐｍでのアクリルマレイン酸コポリマーまたはそれらの塩：ポリアクリル酸またはそれらの塩：ホスホノカルボン酸またはそれらの塩の比が、５：４０：８である、請求項２に記載の水硬度制御剤。
【請求項４】
該水硬度制御剤が、０．５ｗｔ％未満のリン含有化合物を含む、請求項１に記載の水硬度制御剤。
【請求項５】
該ポリアクリル酸またはそれらの塩が、１、０００〜３５、０００ｇ／ｍｏｌの分子量を有する、請求項１に記載の水硬度制御剤。
【請求項６】
該アクリルマレイン酸コポリマーまたはそれらの塩が、１、０００〜７５、０００ｇ／ｍｏｌの分子量を有する、請求項１に記載の水硬度制御剤。
【請求項７】
該ポリアクリル酸またはそれらの塩が、４、５００ｇ／ｍｏｌの分子量を有し、そして該アクリルマレイン酸コポリマーまたはそれらの塩が、４０、０００ｇ／ｍｏｌの分子量を有する、請求項１に記載の水硬度制御剤。
【請求項８】
該ホスホノカルボン酸またはそれらの塩が、２−ホスホノブタン１、２、４トリカルボン酸を含む、請求項１に記載の水硬度制御剤。
【手続補正書】
【提出日】平成25年7月26日(2013.7.26)
【手続補正１】
【補正対象書類名】明細書
【補正対象項目名】００７９
【補正方法】変更
【補正の内容】
【００７９】
適当な成分（Ｘ−２）は、例えば、一般式（ＶＩＩＩａ）：
【化１１】
2013500371.tif 000001
で示される化合物から選択され得る。式中、記号＊はＯＨ基に置き換わり、式（ＶＩＩＩ）に関して先に示した定義が適用される。
【手続補正書】
【提出日】平成25年7月23日(2013.7.23)
【手続補正１】
【補正対象書類名】特許請求の範囲
【補正対象項目名】全文
【補正方法】変更
【補正の内容】
【特許請求の範囲】
【請求項１】
ｉ．水可溶性または水分散性皮膜形成剤；
ｉｉ．少なくとも１種類のカチオン性または非イオン性抗菌剤；
ｉｉｉ．水性溶媒；
ｉｖ．ａ）以下の構造
【化１】
2013500388.tif 000001
の官能基、あるいは
ｂ）
【化２】
2013500388.tif 000002
（式中、Ｒ、Ｒ’およびＲ’’が独立して、アルキル基またはアリール基またはその組み合わせであり、ｍ＝１〜５である）
から選択される構造の官能基を含むアクリルポリマーを含むレオロジー剤；
を含む、除去可能な抗菌コーティング組成物。
【請求項２】
ある位置での微生物の制御を提供する方法であって、
ａ）ｉ）水可溶性または水分散性皮膜形成剤；
ｉｉ）少なくとも１種類の抗菌剤；
ｉｉｉ）水性溶媒；
ｉｖ）ａ）以下の構造
【化３】
2013500388.tif 000003
の官能基、あるいは
ｂ）
【化４】
2013500388.tif 000004
（式中、Ｒ、Ｒ’およびＲ’’が独立して、アルキル基またはアリール基またはその組み合わせであり、ｍ＝１〜５である）
から選択される構造の官能基を含むアクリルポリマーを含むレオロジー剤；
を合わせて、剪断減粘性の除去可能なコーティング組成物を得る工程と、
ｂ）前記コーティング組成物を前記位置に塗布する工程と、
を含み、前記位置に塗布した後に、乾燥コーティングを形成するように、前記コーティング組成物が放置される、方法。
【手続補正２】
【補正対象書類名】明細書
【補正対象項目名】０１７７
【補正方法】変更
【補正の内容】
【０１７７】
【表１】
2013500388.tif 000005
なお、本発明は、特許請求の範囲を含め、以下の発明を包含する。
１．ｉ．水可溶性または水分散性皮膜形成剤；
ｉｉ．少なくとも１種類のカチオン性または非イオン性抗菌剤；
ｉｉｉ．水性溶媒；
ｉｖ．ａ）以下の構造
【化１】
2013500388.tif 000006
の官能基、あるいは
ｂ）
【化２】
2013500388.tif 000007
（式中、Ｒ、Ｒ’およびＲ’’が独立して、アルキル基またはアリール基またはその組み合わせであり、ｍ＝１〜５である）
から選択される構造の官能基を含むアクリルポリマーを含むレオロジー剤；
を含む、除去可能な抗菌コーティング組成物。
２．前記皮膜形成剤が、ポリ（ビニルアルコール）またはそのコポリマーを含む、１に記載の組成物。
３．前記抗菌剤が、第四級アンモニウム化合物を含む、１〜２のいずれかに記載の組成物。
４．前記抗菌コーティング組成物がさらに：前記抗菌コーティング組成物に対して濃度０．０１〜２重量％で第１界面活性剤と、前記抗菌コーティング組成物に対して濃度０．００１〜０．２重量％で第２界面活性剤とを含み；
前記第１界面活性剤が非イオン性であり、かつ前記第２界面活性剤がアルコールエトキシレートを含む、１〜３のいずれかに記載の組成物。
５．ある位置での微生物の制御を提供する方法であって、
ａ）ｉ）水可溶性または水分散性皮膜形成剤；
ｉｉ）少なくとも１種類の抗菌剤；
ｉｉｉ）水性溶媒；
ｉｖ）ａ）以下の構造
【化３】
2013500388.tif 000008
の官能基、あるいは
ｂ）
【化４】
2013500388.tif 000009
（式中、Ｒ、Ｒ’およびＲ’’が独立して、アルキル基またはアリール基またはその組み合わせであり、ｍ＝１〜５である）
から選択される構造の官能基を含むアクリルポリマーを含むレオロジー剤；
を合わせて、剪断減粘性の除去可能なコーティング組成物を得る工程と、
ｂ）前記コーティング組成物を前記位置に塗布する工程と、
を含み、前記位置に塗布した後に、乾燥コーティングを形成するように、前記コーティング組成物が放置される、方法。
６．前記位置が、金属、鉱物、天然および合成ポリマー、プラスチック、れんが、タイル、セラミック、磁器、ビニル、ガラス、リノリウムおよび木材からなる群から選択される材料を含む物品の少なくとも１つの表面を含む、５に記載の方法。
７．前記乾燥コーティング上に水溶液を塗布することによって、前記乾燥コーティングを除去することをさらに含む、５に記載の方法。
【手続補正書】
【提出日】平成25年5月8日(2013.5.8)
【手続補正１】
【補正対象書類名】特許請求の範囲
【補正対象項目名】全文
【補正方法】変更
【補正の内容】
【特許請求の範囲】
【請求項１】
内分泌療法で進行または再発した閉経後進行乳癌女性の処置で使用するために投与量５００ｍｇのフルベストラントを月１回投与するための、フルベストラントを含む医薬組成物。
【請求項２】
５００ｍｇの追加的用量を処置の最初の１カ月の間に投与する、請求項１に記載の医薬組成物。
【請求項３】
追加的用量を約１４日目に投与する、請求項２に記載の医薬組成物。
【請求項４】
女性がエストロゲン受容体陽性またはプロゲステロン受容体陽性である、請求項１〜３のいずれかに記載の医薬組成物。
【請求項５】
女性がエストロゲン受容体陽性である、請求項４に記載の医薬組成物。
【請求項６】
内分泌療法での進行または再発が、タモキシフェンまたはアロマターゼ阻害剤での治療を含んでいた、請求項１〜５のいずれかに記載の医薬組成物。
【請求項７】
アロマターゼ阻害剤が、アナストロゾール、レトロゾールまたはエキセメスタンから選択される、請求項６に記載の医薬組成物。
【請求項８】
投与量２５０ｍｇでのフルベストラントと比較して無増悪期間を増大させる、請求項１〜７のいずれかに記載の医薬組成物。
【手続補正書】
【提出日】平成25年7月29日(2013.7.29)
【手続補正１】
【補正対象書類名】特許請求の範囲
【補正対象項目名】全文
【補正方法】変更
【補正の内容】
【特許請求の範囲】
【請求項１】
少なくとも５０重量パーセントのシリコンを含む、固形で加水分解性のシリコン含有半導体物質のナノ粒子を含む組成物の分解時にオルトケイ酸の徐放を促進する方法であって、前記組成物が生物活性成分の送達系として用いるのに好適であり、前記方法が該シリコン含有物質の表面の安定化剤での処理を具え：
前記シリコン含有物質の加水分解速度を変えるために前記シリコン含有物質に対し表面結合を形成すること；及び／又は、
オルトケイ酸の重合速度を抑制することによって溶液中のオルトケイ酸を安定させること；
を特徴とする方法。
【請求項２】
請求項１に記載の方法において、前記安定化剤自体が生物活性成分であること、及び／又は、前記組成物が生物活性成分を更に含むことを特徴とする方法。
【請求項３】
請求項２に記載の方法が、少なくとも２重量パーセントの生物活性成分を含むことを特徴とする方法。
【請求項４】
請求項１ないし３のいずれかに記載の方法において、前記安定化剤が四級アンモニウム化合物、自由電子対のある窒素原子を含む化合物、浸透圧調節物質、単糖、アミノ酸、コリン誘導体、タンパク質又はコラーゲンの加水分解物、ポリペプチド、及び脂質からなる群から選択されることを特徴とする方法。
【請求項５】
請求項４に記載の方法において、前記安定化剤がテトラ−Ｃ１−５アルキルアンモニウム化合物、トリ−Ｃ１−５アルキルヒドロキシ−Ｃ１−５アルキルアンモニウム化合物、マンニトール、ソルビトール、リジン、プロリン、セリン、グリシン、チロシン、アスパラギン酸、グルタミン酸、ホスファチジルコリン、アルブミン、コラーゲン、レチノール、レチノイン酸、ビタミンＡ、α−トコフェロール、及びビタミンＤからなる群から選択されることを特徴とする方法。
【請求項６】
請求項１ないし５のいずれかに記載の方法において、前記ナノ粒子は平均直径が２０ないし１００ｎｍのシリコン半導体粒子であることを特徴とする方法。
【請求項７】
請求項１ないし６のいずれかに記載の方法において、前記組成物が少なくとも１重量パーセントのシリコンを含むことを特徴とする方法。
【請求項８】
請求項１ないし７のいずれかに記載の方法において、前記組成物が少なくとも３０重量パーセントの安定化剤を含むことを特徴とする方法。
【請求項９】
請求項１ないし８のいずれかに記載の方法において、前記シリコン含有物質の加水分解速度は前記安定化剤の存在によって、該速度が前記安定化剤がない場合の同一の組成物の加水分解速度の５０％未満となるように変えられることを特徴とする方法。
【請求項１０】
生物活性成分の送達系として用いるための、少なくとも５０重量パーセントのシリコンを含む、固形で加水分解性のシリコン含有半導体物質のナノ粒子を含む組成物であって、該シリコン含有物質の表面が前記シリコン含有物質の加水分解速度を変えるために前記シリコン含有物質に対し表面結合を形成し、かつ／あるいは、オルトケイ酸の重合速度を抑制することによって溶液中のオルトケイ酸を安定させる安定化剤と連結することを特徴とする組成物。
【請求項１１】
請求項１０に記載の組成物が局所投与用であることを特徴とする組成物。
【請求項１２】
請求項１０又は請求項１１に記載の組成物において、前記安定化剤自体が生物活性成分であること、及び／又は、前記組成物が生物活性成分を更に含むことを特徴とする組成物。
【請求項１３】
請求項１２の組成物が、少なくとも２重量パーセントの生物活性成分を含むことを特徴とする組成物。
【請求項１４】
治療に用いられる請求項１２又は請求項１３に記載の組成物。
【請求項１５】
化粧品として用いられる請求項１０ないし１３のいずれか１項に記載の組成物。
【請求項１６】
請求項１０ないし１５のいずれか１項に記載の組成物において、前記安定化剤が四級アンモニウム化合物、自由電子対のある窒素原子を含む化合物、浸透圧調節物質、単糖、アミノ酸、コリン誘導体、タンパク質又はコラーゲンの加水分解物、ポリペプチド、及び脂質からなる群から選択されることを特徴とする組成物。
【請求項１７】
請求項１６に記載の組成物において、前記安定化剤がテトラ−Ｃ１−５アルキルアンモニウム化合物、トリ−Ｃ１−５アルキルヒドロキシ−Ｃ１−５アルキルアンモニウム化合物、マンニトール、ソルビトール、リジン、プロリン、セリン、グリシン、チロシン、アスパラギン酸、グルタミン酸、ホスファチジルコリン、アルブミン、コラーゲン、レチノール、レチノイン酸、ビタミンＡ、α−トコフェロール、及びビタミンＤからなる群から選択されることを特徴とする組成物。
【請求項１８】
請求項１０ないし１７のいずれか１項に記載の組成物において、前記ナノ粒子は平均直径が２０ないし１００ｎｍのシリコン半導体粒子であることを特徴とする組成物。
【請求項１９】
請求項１０ないし１８のいずれか１項に記載の組成物において、当該組成物が少なくとも１重量パーセントのシリコンを含むことを特徴とする組成物。
【請求項２０】
請求項１０ないし１９のいずれか１項に記載の組成物において、当該組成物が少なくとも５重量パーセントの安定化剤を含むことを特徴とする組成物。
【請求項２１】
生物活性成分の送達系として用いるための、固体組成物を調製する方法であって：
少なくとも５０重量パーセントのシリコンを含む、固形で加水分解性のシリコン含有半導体物質のナノ粒子を、該シリコンナノ粒子の表面と連結する安定化剤を含む溶液と接触させるステップと；
溶剤を除去するステップと；
を具え、前記安定化剤が、前記シリコンナノ粒子に対する表面結合の形成によって前記シリコンの加水分解速度を変え、かつ／あるいは、オルトケイ酸の安定化によって溶液中のオルトケイ酸の重合速度を抑制するのに好適なことを特徴とする方法。
【請求項２２】
請求項２１に記載の方法が、前記ナノ粒子を前記安定化剤と接触させるステップの前又は後のいずれかで、該加水分解性のシリコン含有物質のナノ粒子を生物活性成分で含浸させるステップを更に具えることを特徴とする方法。
【請求項２３】
医薬品、スキンケア、又は美容用の調合物であって、請求項１０ないし２０のいずれかに記載の組成物を含むことを特徴とする調合物。
【手続補正書】
【提出日】平成25年7月26日(2013.7.26)
【手続補正１】
【補正対象書類名】特許請求の範囲
【補正対象項目名】全文
【補正方法】変更
【補正の内容】
【特許請求の範囲】
【請求項１】
下記濃度で下記成分を含む水溶液：
（ａ）  平均分子量２５００乃至４５００を有するポリエチレングリコール（ＰＥＧ）
Ｎ×（７０乃至１３０）ｇ／Ｌ；
（ｂ）  塩化ナトリウム  Ｎ×（１．６乃至４．０）ｇ／Ｌ；
（ｃ）  塩化カリウム  Ｎ×（０．２乃至０．６）ｇ／Ｌ；
（ｄ）  重炭酸ナトリウム  Ｎ×（０．６乃至２．２）ｇ／Ｌ；
（ｅ）  Ｎ×量の防腐剤；
（ｆ）  所望によりＮ×量の香味料；及び
（ｇ）  所望によりＮ×量の甘味料、
ここで、Ｎは２乃至８の範囲である。
【請求項２】
前記溶液が防腐剤  Ｎ×（０．３乃至１．４）ｇ／Ｌを含む、請求項１記載の溶液。
【請求項３】
前記防腐剤が、メチルパラベン、エチルパラベン若しくはベンジルアルコール、又はそれらの２種又はそれ以上の混合物を含む、請求項１又は請求項２に記載の溶液。
【請求項４】
例えば、アセスルファム  Ｋ及びスクラロースの一方又は両方を含む甘味料Ｎ×（０．０２乃至０．２）ｇ／Ｌを含む請求項１乃至請求項３の何れか１項に記載の溶液であり、及び／又は該溶液は例えばオレンジ果汁又はトロピカルフルーツ香料の香味料  Ｎ×（０．２乃至２）ｇ／Ｌを含む、ところの溶液。
【請求項５】
前記成分（ａ）乃至（ｇ）が完全に溶解している、前記請求項１乃至請求項４の何れか１項に記載の溶液。
【請求項６】
下記濃度で下記成分を含む、請求項１に記載の溶液：
（ａ）  平均分子量２５００乃至４５００を有するポリエチレングリコール（ＰＥＧ）
３５０乃至６００ｇ／Ｌ；
（ｂ）  塩化ナトリウム  ８．０乃至２０ｇ／Ｌ；
（ｃ）  塩化カリウム  １．０乃至３．０ｇ／Ｌ；
（ｄ）  重炭酸ナトリウム  ３．０乃至１１ｇ／Ｌ；
（ｅ）  防腐剤；
（ｆ）  所望により香味料；及び
（ｇ）  所望により甘味料。
【請求項７】
前記溶液が防腐剤１．５乃至７．０ｇ／Ｌを含む、請求項６に記載の溶液。
【請求項８】
前記防腐剤がメチルパラベン、エチルパラベン又はベンジルアルコール、又はこれらの２種若しくはそれ以上の混合物を含む、請求項６又は請求項７に記載の溶液。
【請求項９】
例えばアセスルファム  Ｋ及びスクラロースの一方又は両方を含む甘味料０．１乃至１．０ｇ／Ｌを含む、請求項６乃至請求項８の何れか１項に記載の溶液であり、及び／又は該溶液は例えばオレンジ果汁又はトロピカルフルーツ香料の香味料１．０乃至１０ｇ／Ｌを含む、ところの溶液。
【請求項１０】
下記濃度で下記成分を含む、請求項１乃至請求項３又は請求項６乃至請求項８の何れか１項に記載の溶液：
（ａ）  平均分子量２５００乃至４５００を有するポリエチレングリコール（ＰＥＧ）
５２５  ｇ／Ｌ；
（ｂ）  塩化ナトリウム  １４．０２８  ｇ／Ｌ；
（ｃ）  塩化カリウム  １．８６４  ｇ／Ｌ；
（ｄ）  重炭酸ナトリウム  ７．１４０  ｇ／Ｌ；
（ｅ）  防腐剤；
（ｆ）  所望により香味料；及び
（ｇ）  所望により甘味料。
【請求項１１】
（ｅ）  防腐剤  ２．５又は３．５ｇ／Ｌ；
（ｆ）  香味料  ３．２ｇ／Ｌ；及び
（ｇ）  甘味料  ０．５２ｇ／Ｌ
を含む、請求項１０に記載の溶液。
【請求項１２】
何れの硫酸塩成分を実質的に含まない、請求項１乃至１１の何れか１項に記載の溶液。
【請求項１３】
前記防腐剤がアルカリ性ｐＨで活性が有り及び／又は時間とともに減少しないものである、請求項１乃至請求項１２の何れか１項に記載の溶液。
【請求項１４】
前記防腐剤がメチルパラベン、エチルパラベン及びベンジルアルコールを含む、請求項１乃至請求項１３の何れか１項に記載の溶液。
【請求項１５】
下記成分を含む水溶液。
【表１】
2013500322.tif 000001
【請求項１６】
請求項１乃至請求項１５の何れか１項に記載の溶液を含む容器であって、例えば、２５ｍＬ、１００ｍＬ、１５０ｍＬ、２５０ｍＬ又は５００ｍＬの溶液を含む容器。
【請求項１７】
請求項１６に記載の容器であって、
（ａ）  ポリエチレングリコール（ＰＥＧ）３３５０  χ×２６２．５０ｇ；
（ｂ）  塩化ナトリウム  χ×７．０１４ｇ；
（ｃ）  塩化カリウム  χ×０．９３２ｇ；
（ｄ）  重炭酸ナトリウム  χ×３．５７０ｇ；
（ｅ）  χ×量の防腐剤；
（ｆ）  所望によりχ×量の香味料；
（ｇ）  所望によりχ×量の甘味料；及び
（ｈ）  χ×５００ｍｌまでの水；
ここで、χは０．５乃至２を表し、例えばχは０．５又は１を表す、
を含むところの容器。
【請求項１８】
例えば、使用者が規定量の水で規定量の溶液を希釈することを指示する、使用のための使用説明書を一緒に備えた、請求項１６又は請求項１７に記載の容器を含むキット。
【請求項１９】
溶液の規定量を計量するための計量用付属品を一緒に備えた、請求項１６若しくは請求項１７に記載の容器を含むキット、又は請求項１８に記載のキット。
【請求項２０】
前記成分（ａ）乃至（ｇ）と水とを混合することを含む、請求項１乃至請求項１５の何れか１項に記載の濃縮溶液の調製方法。
【請求項２１】
宿便又は便秘の治療のための溶液の調製方法であって、請求項１乃至請求項１５の何れか１項に記載の溶液と水とを混合することを含むところの方法。
【請求項２２】
請求項１乃至請求項１５の何れか１項に記載の溶液と水とを混合することによって調製された溶液。
【請求項２３】
薬剤として使用するための、請求項２２に記載の溶液。
【請求項２４】
宿便又は便秘の治療に使用するための、請求項２３に記載の溶液。
【請求項２５】
宿便又は便秘の治療方法であって、請求項２２に記載の溶液を、対象者に経口投与することを含むところの方法。
【手続補正書】
【提出日】平成25年7月25日(2013.7.25)
【手続補正１】
【補正対象書類名】特許請求の範囲
【補正対象項目名】全文
【補正方法】変更
【補正の内容】
【特許請求の範囲】
【請求項１】
基準面の輪郭を目標面に転写する装置であって、
基準面追従部と動作的に関連づけられた少なくとも一つのマーキング部を備え、
前記少なくとも一つのマーキング部は、前記基準面追従部の周縁を越えて横方向に延出し、外縁に９０°以下の角度を形成する少なくとも一つのマーキング領域を備えることを特徴とする輪郭転写装置。
【請求項２】
前記基準面追従部が、当該装置の周縁と比較して大きな平坦面を備えることを特徴とする請求項１に記載の輪郭転写装置。
【請求項３】
前記少なくとも一つのマーキング部が、前記少なくとも一つのマーキング領域を前記基準面追従部と同一平面上に配置するように構成されることを特徴とする請求項１または２に記載の輪郭転写装置。
【請求項４】
前記動作的な関連は、前記少なくとも一つのマーキング部と前記基準面追従部とがねじ付きシャフトにねじ係合すること含む請求項１ないし３のいずれかに記載の輪郭転写装置。
【請求項５】
前記少なくとも一つのマーキング領域が少なくとも一つの取り外し可能なけがき先端を備えることを特徴とする請求項１ないし４のいずれかに記載の輪郭転写装置。
【請求項６】
前記少なくとも一つのマーキング領域が９０°から１８０°の角度だけ隔てられていることを特徴とする請求項１ないし５のいずれかに記載の輪郭転写装置。
【請求項７】
前記少なくとも一つのマーキング領域が１２０°の角度だけ隔てられていることを特徴とする請求項１ないし６のいずれかに記載の輪郭転写装置。
【請求項８】
第１の基準面の輪郭を第２の目標面に転写する装置であって、
少なくとも一つの第２のマーキング部に対して９０°から１８０°の範囲の角度で配置された少なくとも一つの第１マーキング部を備えることを特徴とする装置。
【請求項９】
基準面の輪郭を目標面に転写する装置であって、
基準面追従部と少なくとも一つのマーキング部とを備え、
前記少なくとも一つのマーキング部は、相互接続シャフトに沿って前記基準面追従部に対して回転して再配置可能であり、
前記相互接続シャフトに沿った任意の点で、前記少なくとも一つのマーキング部の位置を前記基準面追従部に対して固定可能であることを特徴とする装置。
【請求項１０】
基準面の輪郭を目標面に転写する方法であって、
前記基準面と前記目標面の縁との間の最大隙間を特定するステップと、
基準面追従手段を前記基準面と係合させるステップと、
目標面マーカー手段と前記基準面追従手段との間の離隔距離が少なくとも前記最大隙間に一致するように、前記基準面追従手段に対して目標面マーカー手段を回転させるステップと、
前記離隔距離を一定の距離に維持するステップと、
前記基準面に沿って前記基準面追従手段を移動させる一方、前記目標面マーカー手段と前記目標面との接触を維持するステップと、
を含む輪郭転写方法。
【請求項１１】
前記目標面マーカー手段の間で一定の距離を維持する前記ステップが、固定部の逆方向の回転を含むことを特徴とする請求項１０に記載の輪郭転写方法。
【請求項１２】
輪郭転写装置の製造方法であって、
少なくとも一つのマーキング部と基準面追従部とを設けるステップと、
前記少なくとも一つのマーキング部および前記基準面追従部と動作的に関連するように構成されたねじ付きシャフト手段を設けるステップと、を含み、
前記少なくとも一つのマーキング部が、前記ねじ付きシャフト手段に沿って回転して再配置されるように構成されることを特徴とする方法。
【請求項１３】
基準面の輪郭を目標面に転写する装置であって、
基準面追従部に対して同軸上に配置可能な少なくとも一つのマーキング部を備え、
前記少なくとも一つのマーキング部が、前記基準面と前記目標面の間のゼロオフセットに対応するように構成されることを特徴とする装置。
【請求項１４】
前記マーキング部を内部に受け入れるように構成された凹部を前記基準面追従部が備え、前記基準面追従部と前記マーキング部とで共有される中心長手軸に近接して前記マーキング部のけがき先端が位置することを特徴とする請求項１ないし９または１３のいずれかに記載の装置。
【請求項１５】
前記基準面追従部が、第１区画と、該第１区画に対して角度の付いた第２区画とを備えるフットプレートを有し、
前記第１区画が、前記基準面と前記目標面との交差部に隣接する追加構造を越えて前記第２区画を延出させるように構成され、
前記第２区画は、前記第１区画から前記目標面に向けて延び、前記目標面にマーキングするために、前記第２区画内に前記マーキング部を実質的に収容する凹部を備えることを特徴とする請求項１ないし９または１３のいずれかに記載の装置。
【請求項１６】
前記少なくとも一つのマーキング部と前記基準面追従部とが、実質的に直交するか、互いに鋭角に配置されるか、互いに鈍角に配置された目標面および基準面と係合するように構成されることを特徴とする請求項１ないし９、１３または１４のいずれかに記載の装置。